(57)【要約】【課題】ティッシュボックスに収容されたティッシュペーパーの枚数が少なくなっても確実に保持し、１枚づつ確実に取り出すことができるようにしたティッシュボックス用のカバーを提供する。【解決手段】ティッシュボックス用のカバー１は、ティッシュペーパー２２が収容されたティッシュボックス２０が内部に収容されるカバー本体２と、該カバー本体２の上面部に形成されティッシュペーパー２２を取り出すための引出口５とを備え、前記カバー本体２は弾性力を備えた布素材により形成され、かつ前記引出口５は凹凸状とし、布素材の弾性力を利用してティッシュペーパー２２は凹凸状の引出口５で保持されるようにした。【選択図】　図１
2004115115.tif 000002
【特許請求の範囲】
【請求項１】
ティッシュペーパーが収容されたティッシュボックスが内部に収容されるカバー本体と、該カバー本体の上面部に形成されティッシュペーパーを取り出すための引出口とを備え、前記カバー本体は弾性力を備えた布素材により形成され、かつ前記引出口は凹凸状とし、布素材の弾性力を利用してティッシュペーパーは凹凸状の引出口で保持されるようにしたことを特徴とするティッシュボックス用のカバー。
【請求項２】
前記カバー本体の引出口は、溶断により切断されたことを特徴とする請求項１記載のティッシュボックス用のカバー。
【請求項３】
前記カバー本体の上面部には、装飾用の模様が施されたことを特徴とする請求項１又は２に記載のティッシュボックス用のカバー。
【請求項４】
前記カバー本体は、ティッシュボックスに着脱自在に装着するための支持具を備え、該支持具は引出口と同一方向に結合されたことを特徴とする請求項１乃至３の何れかに記載のティッシュボックス用のカバー。
【請求項５】
前記支持具は、壁面等に支持するための引掛部が形成されたことを特徴とする請求項４記載のティッシュボックス用のカバー。
【発明の詳細な説明】
【０００１】
【発明の属する技術分野】
この発明は、ティッシュペーパーが収容されたティシュボックスに、装飾性を向上させるために着脱自在に装着されるようにしたティシュボックスのカバーに関する。
【０００２】
【従来の技術】
従来から公知のティッシュボックスは、厚紙からなる本体の内部に、所定寸法で所定枚数のティッシュペーパーが上下に積層された状態で収容されており、本体の上面部略中央には開口孔が形成され、該開口孔の内面には、ティッシュペーパーが外気の湿気等により変質することがなく、しかもほこり等が内部に侵入することがないようにするために、透明で合成樹脂製のフィルムが貼り付けてある。該フィルムにはティッシュペーパーの一部を指で摘んで１枚ずつ順に取り出すための直線状のスリットが形成されており、該スリットから飛び出したティッシュペーパーの一部を、１枚ずつ指で摘んで取り出すことができるようにしている。そしてティシュペーパーを１枚取り出すと、続いて次のティッシュペーパーの一部が連れ上がりスリットから飛び出して、次の取り出しを容易に行なえるようにしている。また、ティッシュボックスは装飾性を向上させるために、布素材で模様等が施されたカバーを装着して全体を覆う場合がある。しかしながら本体内部に収容されているティッシュペーパーの枚数が少なくなると、ティッシュペーパーの最上面とフィルムのスリットとの上下の間隔が次第に広くなり、直線状のスリットのみではティッシュペーパーを保持することができずに落下してしまい、スリットから指を本体の内部に入れてティッシュペーパーを摘み出す必要があり、不便なものであった。
【０００３】
そこで、ティッシュペーパーの残り枚数が少なくなっても、フィルムのスリットからティッシュペーパーが落下しないようにしたティッシュボックスが公知である。（例えば、特許文献１参照）そして、この特許文献１について図５により簡単に説明すると、ティッシュペーパー４５が収容されるティッシュボックス４０は、その上壁４１には開口４２が形成され、該開口４２を覆うようにして合成樹脂製のフィルム４３が貼り付けられ、該フィルム４３にはティッシュペーパー４５を取り出すための切り込み４４が形成されており、該切り込み４４の形状を凹凸状としたことにより、ティッシュペーパー４５の保持力が増加し、切り込み４４から落下しないようにしたものである。しかし、フィルムは軟質の合成樹脂製であるため厚みがなく、ティッシュペーパーをティッシュボックスの内部から取り出す際に簡単に裂けてしまったり、また、ティッシュペーパーが通過する際に折れ曲がり、そのまま元の凹凸形状に戻らなくなり、次に連れ上がるティッシュペーパーを切り込みで確実に保持することができず、ティッシュボックスの内部に落下してしまうという問題があった。また、開口にフィルムを貼り付けず、厚紙からなる上壁に凹凸状の切り込みを設けたものも公知であるが、厚紙の素材では弾性力がなく、ティッシュペーパーが通過する際に折れ曲がると元の形状に戻らず、ティッシュペーパーを保持できるものではなかった。
【０００４】
【特許文献１】
特開平９−３２３７７１号公報（第２−第３頁、第１図）
【０００５】
【発明が解決しようとする課題】
本発明は、ティッシュボックスに収容されたティッシュペーパーの枚数が少なくなっても確実に保持し、１枚づつ確実に取り出すことができるようにしたティッシュボックス用のカバーを提供することを課題とするものである。
【０００６】
【課題を解決するための手段】
請求項１のティッシュボックス用のカバーでは、ティッシュペーパーが収容されたティッシュボックスが内部に収容されるカバー本体と、該カバー本体の上面部に形成されティッシュペーパーを取り出すための引出口とを備え、前記カバー本体は弾性力を備えた布素材により形成され、かつ前記引出口は凹凸状とし、布素材の弾性力を利用してティッシュペーパーは凹凸状の引出口で保持されるようにしたものである。
【０００７】
請求項２のティッシュボックス用のカバーでは、前記カバー本体の引出口は、溶断により切断されたものである。
【０００８】
請求項３のティッシュボックス用のカバーでは、前記カバー本体の上面部には、装飾用の模様が施されたものである。
【０００９】
請求項４のティッシュボックス用のカバーでは、前記カバー本体は、ティッシュボックスに着脱自在に装着するための支持具を備え、該支持具は引出口と同一方向に結合されたものである。
【００１０】
請求項５のティッシュボックス用のカバーでは、前記支持具は壁面等に支持するための引掛部が形成されたものである。
【００１１】
【発明の実施の形態】
以下、本発明の実施の形態を図に基づいて詳細に説明する。
本発明の実施例は図１及び図２に示すように、ティッシュボックス用のカバー１は、内部にティッシュボックス２０を密着した状態で収容するためのカバー本体２と、該カバー本体２をティッシュボックス２０に覆った状態で着脱自在に支持するための支持具１０とを備え、前記カバー本体２の上面部４には、ティッシュペーパー２２を取り出すための引出口５が形成されている。
【００１２】
前記ティッシュボックス２０は、厚紙からなるボックス本体２１の内部に、２００枚程のティッシュペーパー２２が折り畳まれた状態で、上下に重ね合わせて収容されたものであり、上面に形成された上板部２３の略中央に楕円形の開口孔２４が穿設されており、該開口孔２４には上板部２３の裏面側から透明で合成樹脂製のフィルム２５が貼り付けられ、このフィルム２５には直線状の切欠２６が形成されている。そして、この切欠２６からティッシュペーパー２２を１枚取り出すと、続いて次のティッシュペーパー２２の一部が切欠２６から飛び出すようになっている。
【００１３】
前記カバー１のカバー本体２は、合成繊維，天然繊維，不織布，その他弾性力を備えた布素材から形成され、全体として前記ティッシュボックス２０が収容される収容室３が形成された長方形の箱型であり、上面に形成された上面部４と、該上面部４の長辺側の２側縁から下方に垂下した一対の第１側面部６，６と、上面部４の短辺側の２側縁から下方に垂下した一対の第２側面部７，７とを備えており、図３に示すように、底面にはティッシュボックス２０を収容室３に収容するための開口部９が形成されている。従って、カバー本体２はティッシュボックス２０を開口部９から収容室３に出し入れ自在であり、ティッシュボックス２０の全体を覆うことができるものである。
【００１４】
前記カバー本体２の上面部４には、略中央に細長の引出口５が長さ方向に沿って開口しており、該引出口５は、前記ティッシュボックス２０に積層した状態で収容されたティッシュペーパー２２を取り出すために開口したフィルム２５の切欠２６と上下に重なり合う位置に設けられ、この引出口５からティッシュボックス２０に収容されたティッシュペーパー２２を、１枚ずつ順に取り出すことができるようにしている。
【００１５】
前記カバー本体２の引出口５には、弾性力を備えた布素材の互いに向かい合う端縁を凹凸状にして噛み合う弾性片５ａ，５ａが形成されており、この弾性片５ａ，５ａは、引出口５の一端から他端まで多数連続して形成されている。また、上面部４には引出口５に沿って、カバー１の装飾性を向上させるための模様Ａが、例えばエンボス加工により立体的に施されている。従って、ティッシュペーパー２２はカバー本体２の引出口５を通過する際に、この引出口５の弾性片５ａ，５ａに弾力的に噛み合うことで、抵抗が増大して確実に保持される。また、ティッシュペーパー２２の枚数が少なくなり、ティッシュペーパー２２の最上面と引出口５との上下の間隔が次第に広くなっても、ティッシュペーパー２２は弾性片５ａ，５ａが弾力的に噛み合うため、引出口５で確実に保持され、容易に落下することがないようにされている。そして、引出口５から飛び出したティッシュペーパー２２を摘んで、容易に取り出すことができるものである。なお、引出口に形成される弾性片は、ティッシュペーパーの上下への移動に対して抵抗を増大することのできる形状であれば、波状，鋸歯状，その他どのような形状でもよく、特に限定されるものではない。
【００１６】
前記カバー本体２の引出口５は、例えば超音波加工装置により凹凸状に溶断することで、弾性片５ａ，５ａが形成される。超音波加工装置により、カバー本体の材質である布素材を溶断する技術に関しては、本出願人が先に出願した特公平３−４２３４４号公報により既に公知であり、超音波振動による熱溶融により、布素材は溶断，溶着及び模様の形成が行なわれるものであるが、他の切断方法である例えば裁断と比較して、切り口にほつれ止め加工がされるので装飾性が優れるうえ、糸屑等が発生せず、製造が容易でコストを低減することができるものである。
【００１７】
図３に示すように、前記カバー本体２の第２側面部７，７の内方側には、ティッシュボックス２０を底面から支持するための支持具１０を備えており、この支持具１０により、カバー本体２の内部に収容されたティッシュボックス２０が脱落しないようにしている。支持具１０は本実施例では例えば伸縮自在のゴム紐からなり、両側の第２側面部７，７で両端が結合された支持具１０が、両第１側面部６，６の長さ方向に沿って開口部９の略中央部を横断することで、ティッシュボックス２０の底面が支持具１０と上下に向かい合って、カバー本体２から脱落しないようにしている。また、支持具１０を一方の第２側面部７に接近するように引っ張ることで、ティッシュボックス２０はカバー１から取り出すことができるものである。
【００１８】
ここで通常使用されているティッシュボックス用のカバーの場合、支持具は両端が長辺側の両第１側面部同士で結合されているが、この場合、カバーがティッシュボックスに装着されると、支持具の弾性力は引出口を広く開く方向に作用する。すると引出口の開口面積が広くなり、引出口によりティッシュペーパーを保持することができなくなる。本発明では、支持具は引出口の多数の凹凸部と同一方向である、両第１側面部に結合されているので、その弾性力が引出口を開く方向に作用することがなく、ティッシュペーパーを引出口に確実に保持することができる。
【００１９】
さらに、支持具１０はカバー本体２の第２側面部７，７に穿設された一対の孔８，８に挿通させて支持され、カバー１の第２側面部７からその一部が露出しており、その露出した一端に形成される引掛部１１は図４に示すように、例えば室内の壁３０に固定された支持金具３１に対して引掛けることができる。また、引掛部は車の室内に引掛けてもよい。このようにティッシュボックスが落下するのを防止するための支持具には引掛部が形成され、この引掛部を利用して壁の支持金具又は車の室内等に引掛けることができるので、ティッシュボックスを室内や車内で邪魔になることがないように支持することができるものである。
【００２０】
本発明のカバー１をティッシュボックス２０に装着し、ティッシュボックス２０からティッシュペーパー２２を取り出すには、カバー本体２の引出口５に保持されているティッシュペーパー２２の上部を指で摘んで引き出せばよい。この時ティッシュボックス２０に収容されている次のティッシュペーパー２２も続いて引き出されるが、このティッシュペーパー２２は、カバー本体２が布製であるので、布素材の弾性力で引出口５の凹凸状に形成された弾性片５ａ，５ａは、ティッシュペーパー２２が引出口５を通過する最に変形しても、元の状態に復帰してティッシュペーパー２２を保持し、ティッシュペーパー２２が引出口５から落下することがない。
【００２１】
【発明の効果】
本発明は請求項１のティッシュボックス用のカバーでは、ティッシュペーパーが収容されたティッシュボックスが内部に収容されるカバー本体と、該カバー本体の上面部に形成されティッシュペーパーを取り出すための引出口とを備え、前記カバー本体は弾性力を備えた布素材により形成され、かつ前記引出口は凹凸状とし、布素材の弾性力を利用してティッシュペーパーは凹凸状の引出口で保持されるようにしたので、ティッシュボックスに収容されたティッシュペーパーの枚数が少なくなり、引出口との上下の間隔が広くなっても、引出口から落下することがなく確実に保持されており、容易に取り出すことができ、使い勝手が大幅に向上する。
【００２２】
請求項２では、カバー本体の引出口は溶断により切断されたので、ティッシュボックス用のカバーの製造が容易で、コストを低減することができる。
【００２３】
請求項３では、カバー本体の上面部には装飾用の模様が施されたので、ティッシュボックス用のカバーの装飾性が大幅に向上する。
【００２４】
請求項４では、カバー本体は、ティッシュボックスに着脱自在に装着するための支持具を備え、該支持具は引出口と同一方向に結合されるので、カバーをティッシュボックスに装着すると、弾性力を備えた支持具により引出口が広く開くことがなく、ティッシュを引出口に確実に保持することができる。
【００２５】
請求項５では、カバー本体の支持具は壁面等に支持するための引掛部が形成されたので、この引掛部を利用して、例えば壁の支持金具等に引掛けることができ、ティッシュボックスを室内で邪魔になることがないように支持することができる。
【図面の簡単な説明】
【図１】本発明によるティッシュボックス用のカバーとティッシュボックスとの斜視図である。
【図２】本発明によるティッシュボックス用のカバーの斜視図である。
【図３】本発明によるティッシュボックス用のカバーの底面からの斜視図である。
【図４】本発明によるティッシュボックス用のカバーを壁に掛けた状態の説明図である。
【図５】従来技術の説明図である。
【符号の説明】
１　　　　　　カバー
２　　　　　　カバー本体
４　　　　　　上面部
５　　　　　　引出口
１０　　　　　支持具
１１　　　　　引掛部
２０　　　　　ティッシュボックス
２２　　　　　ティッシュペーパー
Ａ　　　　　　模様
【図１】
2004115115.tif 000003
【図２】
2004115115.tif 000004
【図３】
2004115115.tif 000005
【図４】
2004115115.tif 000006
【図５】
2004115115.tif 000007